(57)【要約】【課題】医療従事者に負担を強いることなく、患者が医療従事者を暴行してベッド上に倒れ込んだり、患者が医療従事者をベッド上に押し倒したりすることを、できるだけ正確に検知する。【解決手段】ベッドにかかる荷重値とベッドを使用する患者の体重に所定の値を加算した比較値とを判定部１４にて比較し、荷重値が比較値を上回ると判定部１４にて判断した場合に、制御部１０は、報知部１５を動作させて異常事態が発生したことを報知するようにしているので、ベッド上に患者の体重を上回る荷重がかかった場合に、ベッド上に患者の荷重だけではなく医療従事者の荷重がかかっているとして、異常事態が発生したことが報知される。従って、医療従事者に負担を強いることなく、ベッドでの異常事態の発生を可能な限り正確に検知することができる。そのため、誤報の発生を少なくすることができる。【選択図】  図２
2009201943.tif 000002
【特許請求の範囲】
【請求項１】
ベッドにかかる荷重値を検知する荷重検知部と、
前記ベッドを識別するためのベッド識別情報と前記荷重検知部により検知された荷重値とをベッド情報として出力する情報出力部と、
前記ベッドを使用する患者の体重を示す体重情報を前記ベッド識別情報に関連付けて予め記憶しておく記憶部と、
前記ベッド情報を入力し、前記ベッド識別情報に関連付けて記憶されている体重情報を前記記憶部から取得する情報取得部と、
前記荷重値と前記情報取得部が取得した体重情報に所定の値を加算した比較値とを比較して、前記荷重値が前記比較値を上回ったか否かを判定する判定部と、
異常事態が発生したことを報知する報知部と、
前記荷重値が前記比較値を上回ったと前記判定部にて判断した場合に、前記報知部を動作させる制御部と、
を備えたナースコールシステム。
【発明の詳細な説明】
【技術分野】
【０００１】
本発明は、ナースコールシステムに関し、特に、ナースコール子機に設けられた呼び出しボタンを押下することにより呼び出しを行うナースコールシステムに用いて好適なものである。
【背景技術】
【０００２】
一般に、病院や介護施設などでは、ナースコールシステムが用いられている。ナースコールシステムは、病院の患者が看護師のサポートを必要とする際、または、介護施設の被介護者が介護師のサポートを必要とする際に、患者や被介護者（以下、単に患者と記載する）が呼び出しボタンなどを押下することによって看護師や介護師（以下、単に医療従事者と記載する）を呼び出すことができるように成されたシステムである。
【０００３】
多くのナースコールシステムは、ベッドサイドなどに設置するナースコール子機と、医療従事者が常駐するナースセンタに設置するナースコール親機と、病室等の各部屋の出入口付近に設置する廊下灯と、通話やデータの送受信に関する制御を行う制御機とを備えて構成されている。また、医療従事者が携帯するＰＨＳ（Personal Handyphone System）端末とＰＢＸ（Private Branch Exchange：電話交換機）とを組み合わせて移動中の医療従事者が呼び出しに応答するナースコールシステムも提供されている。
【０００４】
ナースコール親機には、ＬＥＤ（light-emitting diode）などの発光体と患者名とを対応付けて表示パネルに表示するボード型のものがある。このボード型のナースコール親機では、患者からの呼び出しが発生すると、その患者に対応するＬＥＤを点灯（または点滅）させて呼び出しを行った患者を医療従事者が視認できるようにしている。また、ナースコール親機には、パソコンを利用したものもある。このパソコンを利用したナースコール親機では、実際のベッドの配置と同じようにディスプレイ上にレイアウト表示を行い、レイアウト上に患者名を表示する。そして、このようなナースコール親機は、患者からの呼び出しが行われたときに、その患者に対応する部分を強調して表示（例えば、ポップアップ表示など）することにより、どの患者が呼び出しを行ったかを医療従事者が視認できるようにしている。
【０００５】
ナースコール子機は、患者毎に設置されており、患者が医療従事者を呼び出すための操作部を備えている。ここで、ナースコール子機は、操作部を備え、患者の手元に置かれる操作ユニットと、有線や無線などにより操作ユニットを接続する壁面に設置されたウォールユニットとにより構成される。
【０００６】
ところで、ベッドにかかる荷重値を検出して、その値によって人の離床または在床を判定する離床在床検知システムが知られている（例えば、特許文献１など）。
【特許文献１】特開平１１−７６１７８号公報
【０００７】
特許文献１によれば、人の離床を離床信号として出力し、人の在床を在床信号として出力して、これらの信号をナースコール親機にて集中管理するとの記載がある。このような離床在床検知システムは、患者がベッド上に居るか居ないか、すなわち、患者がベッド上で就寝しているか、ベッドを離脱して徘徊しているかを医療従事者に把握させることができる。
【０００８】
しかしながら、特許文献１に記載の離床在床検知システムでは、医療従事者が患者から暴行を受けてベッド上に倒れ込んだり、医療従事者が患者によってベッド上に押し倒されたりしても、それらの事象を検知することができないという問題があった。
【０００９】
このような問題を解決するために、無線式呼出装置に内蔵した傾斜センサーが一定以上に傾斜したときに呼び出しを行い、呼び出しを受け付けた無線式呼出装置の近傍のテレビカメラを起動させて病室内の映像をナースコール親機に送信する技術が知られている（例えば、特許文献２など）。
【特許文献１】特開２００６−２８８９３６号公報
【発明の開示】
【発明が解決しようとする課題】
【００１０】
しかしながら、前述した特許文献２に記載のナースコール装置では、傾斜センサーが一定以上に傾斜したときに呼び出しを行うため、無線式呼出装置の取り付け位置によっては、医療従事者が通常の作業を行っただけでも傾斜センサーが一定以上に傾斜して呼び出し信号を出力してしまい、誤報が発生してしまうという問題があった。そのため、医療従事者は、誤報が発生しないように、無線式呼出装置の取り付け位置に気を使ったり、傾斜センサーが一定以上に傾斜しないように作業に気を使ったりして余計な負担を強いられてしまうという問題があった。
【００１１】
本発明は、このような問題を解決するために成されたものであり、医療従事者に負担を強いることなく、医療従事者が患者から暴行を受けてベッド上に倒れ込んだり、医療従事者が患者によってベッド上に押し倒されたりすることを、できるだけ正確に検知することを目的とする。
【課題を解決するための手段】
【００１２】
上述した課題を解決するために、本発明では、ベッドにかかる荷重を検知し、検知した荷重値とベッドを使用する患者の体重に所定の値を加算した比較値とを比較して、荷重値が比較値を上回った場合に、異常事態が発生したことを報知するようにしている。
【発明の効果】
【００１３】
上記のように構成した本発明によれば、ベッド上に患者の体重を上回る荷重がかかった場合に、ベッド上に患者の荷重だけではなく医療従事者の荷重がかかっているとして、医療従事者が患者から暴行を受けてベッド上に倒れ込んだり、医療従事者が患者によってベッド上に押し倒されたりしているとの異常事態の発生が報知される。これにより、医療従事者に傾斜センサーを持たせることによる負担を強いることなく、医療従事者が患者から暴行を受けてベッド上に倒れ込んだり、医療従事者が患者によってベッド上に押し倒されたりすることを、可能な限り正確に検知することができる。従って、誤報の発生を少なくすることができる。
【発明を実施するための最良の形態】
【００１４】
以下、本発明の一実施形態を図面に基づいて説明する。図１は、本実施形態によるナースコールシステムの全体の構成例を示す図である。図１に示すように、本実施形態によるナースコールシステムは、荷重センサー１、荷重値統合部２、ハンド形子機３、ウォールユニット４（特許請求の範囲の情報出力部に該当する）、アダプタ５、廊下灯６、制御機７、ナースコール親機８を備えて構成されている。
【００１５】
荷重センサー１は、ベッドＢにかかる荷重を検知するためのものであり、ベッドＢの４本の脚の下にそれぞれ敷かれている。荷重値統合部２は、４つの荷重センサー１によって検知された荷重値を統合してベッドＢにかかる荷重値を演算する（荷重センサー１および荷重値統合部２は、特許請求の範囲の荷重検知部に該当する）。なお、本実施形態では、ベッドＢの脚の下に敷かれた荷重センサー１によってベッドＢにかかる荷重を検知しているが、これに限定されない。例えば、ベッドＢ上に敷かれるマットセンサーなどであっても良い。
【００１６】
ハンド形子機３は、病室の各患者が手元で呼び出し操作や通話ができるようにアダプタ５を介してウォールユニット４のコンセントに接続されている。ハンド形子機３は、患者が医療従事者を呼び出すための呼び出しボタン３ａを備えている。また、ハンド形子機３は、呼び出しボタン３ａの操作により操作信号を生成してアダプタ５を介してウォールユニット４へ出力する。また、ハンド形子機３は、患者が医療従事者と会話する際に使用するマイク（図示せず）およびスピーカ（図示せず）を備えている。ハンド形子機３とナースコール親機８との間で通話路が形成されると、ハンド形子機３は、マイクから入力した音声を音声信号に変換してアダプタ５へ出力し、アダプタ５を介してナースコール親機８から入力した音声信号を変換してスピーカから音声を出力する。
【００１７】
ウォールユニット４は、病室の各患者のベッドサイドの壁面に埋め込まれており、廊下灯６に接続されている。また、ウォールユニット４は、医療従事者が緊急時に他の看護師などを呼び出すための呼び出しボタン（図示せず）、患者が医療従事者を呼び出したときに、看護師が操作して元の状態に戻すための復旧ボタン４ａ、アダプタ５を接続するためのコンセントを備えている。また、ウォールユニット４は、患者が医療従事者と会話する際に使用するマイクおよびスピーカを必要に応じて備える。また、ウォールユニット４は、後述するように、荷重統合部２からベッドＢにかかる荷重値を入力し、ベッドＢを識別するためのベッド識別情報とともに、廊下灯６および制御機７を介してナースコール親機８へベッド情報として出力する。また、ウォールユニット４は、ハンド形子機３から操作信号を入力することで呼出信号を生成し、廊下灯６および制御機７を介してナースコール親機８へ出力する。ここで、呼出信号は、呼び出しを行った（操作信号を出力した）ハンド形子機３を識別するための子機識別情報を含む。なお、ベッド識別情報と子機識別情報とは同一のものであっても良いし、異なるものであっても良い。
【００１８】
アダプタ５は、荷重値統合部２、ハンド形子機３、および、ウォールユニット４に接続されている。また、アダプタ５は、荷重値統合部２から荷重値を入力してウォールユニット４に出力する。また、アダプタ５は、ハンド形子機３から呼び出し信号および通話時の音声信号を入力してウォールユニット４に出力する。また、アダプタ５は、ナースコール親機８から出力された呼出信号や通話時の音声信号などをウォールユニット４を介して入力して、ハンド形子機３に出力する。
【００１９】
廊下灯６は、病室の出入口の近傍の壁面などに病室毎に設置され、病室内の部屋番号や患者名などを表示する。また、廊下灯６は、病室内の患者が医療従事者の呼び出しを行うと、呼び出しが行われたことを表示する。例えば、廊下灯６の側面に取り付けた発光体を点灯／点滅させることにより呼び出しが行われたことを表示する。また、廊下灯６は、病室内の患者が医療従事者の呼び出しを行った場合に、医療従事者により応答操作され呼び出しの表示などの呼び出し動作を解除するための復旧ボタン６ａを備えている。制御機７は、通話やデータの送受信に関する制御を行うものであり、廊下灯６とナースコール親機８との間に設置されている。
【００２０】
ナースコール親機８は、例えば、医療従事者が常駐するナースセンターなどに設置される。また、ナースコール親機８は、ハンドセット８ａを備えている。ハンドセット８ａは、患者からの呼び出し（ハンド形子機３による呼び出し）に対する応答の操作または患者（ハンド形子機３やウォールユニット４）を呼び出す操作を行うためのものである。
【００２１】
次に、本発明の主要な構成である荷重検知部（荷重センサー１および荷重統合部２）、ウォールユニット４、ナースコール親機８について説明する。図２は、本実施形態によるナースコールシステムの主要な構成を示すブロック図である。図２に示すように、ナースコール親機８は、制御部１０、インターフェース１１、記憶部１２、情報取得部１３、判定部１４、報知部１５を備えて構成されている。
【００２２】
荷重センサー１は、ベッドＢにかかる荷重を検知して荷重統合部２へ出力する。ここで、荷重センサー１は、ベッドＢにかかる荷重を常時検知しても良いし、間欠的に検知しても良い。荷重値統合部２は、荷重センサー１から入力したベッドＢの各脚にかかる荷重値を統合演算してアダプタ５へ出力する。ウォールユニット４は、荷重統合部２にて統合演算された荷重値を、アダプタ５を介して入力し、ベッド識別情報とともにベッド情報として廊下灯６、制御機７を介してナースコール親機８へ出力する。
【００２３】
制御部１０は、ナースコール親機８の各構成要素を後述するように制御する。インターフェース１１は、制御機７、廊下灯６を介してウォールユニット４に接続されており、ハンド形子機３との間で通話や各種信号の送受信を行うとともに、ウォールユニット４からベッド情報を入力する。
【００２４】
記憶部１２は、ベッドＢを使用する患者の体重を示す体重情報をベッド識別情報に関連付けて予め記憶している。つまり、記憶部１２は、ベッドＢを使用している患者の体重を特定するために用いられる。情報取得部１３は、インターフェース１１が入力したベッド情報を取得するとともに、取得したベッド情報に含まれるベッド識別情報に関連付けて記憶されている体重情報を記憶部１２から取得する。
【００２５】
判定部１４は、荷重値、ベッド識別情報、体重情報を情報取得部１３から取得し、体重情報に対して所定の値を加算して比較値を演算する。また、判定部１４は、荷重値と比較値とを比較して、荷重値が比較値を上回ったか否かを判定する。ここで、比較値を求めるために使用される所定の値は、患者の体重の１０％程度の値であることが好ましい。つまり、患者の体重は、日々変化するため、その変化を吸収できる程度の値であることが好ましい。なお、所定の値として特定の数値を設定すると、患者の体重には個人差があるため、体重の重い患者に対しては特定の数値が小さくなってしまい、体重の軽い患者に対しては特定の値が大きくなってしまう。そのため、患者の体重に１．１の係数を乗じるなどして比較値を求めるようにしても良い。
【００２６】
報知部１５は、ハンド形子機３やウォールユニット４からの呼び出しを報知するものであり、ＬＥＤなどの発光体やスピーカなどの音声出力装置が使用される。また、報知部１５は、ベッドＢに患者の体重に所定の値を加算した比較値を上回る荷重がかかり、ベッドＢ上で異常事態が発生したことによる呼び出しを報知する。ここで、報知部１５は、少なくともハンド形子機３やウォールユニット４からの呼び出しとベッドＢ上で異常事態が発生したことによる呼び出しとを区別して報知する。具体的には、報知部１５は、ＬＥＤの発光状態を点灯および点滅の二種類とすること、スピーカから出力される音声を二種類とすることなどにより二種類の報知方法を実現する。また、制御部１０が報知部１５を動作させる場合に、制御部１０は、どのハンド形子機３によって呼び出しが行われたか（誰が呼び出しを行ったか）を子機識別情報により特定し、どのベッドＢにて異常事態が発生したかをベッド識別情報により特定する。なお、ナースコール親機８をコンピュータにより構成した場合には、コンピュータのディスプレイの表示により呼び出しを報知するようにしても良い。
【００２７】
このように構成されたナースコールシステムにおいて、ベッドＢ上に患者が寝ている場合には、ナースコールシステムは、以下の動作を実行する。まず、荷重センサー１は、ベッドＢにかかる荷重を検知して荷重統合部２へ出力する。荷重値統合部２は、荷重センサー１から入力したベッドＢの各脚にかかる荷重値を統合演算してウォールユニット４へ出力する。ウォールユニット４は、荷重統合部２にて統合演算された荷重値を入力し、ベッド識別情報とともにベッド情報としてナースコール親機８へ出力する。
【００２８】
ナースコール親機８では、インターフェース１１にてベッド情報を入力する。情報取得部１３は、取得したベッド情報に含まれるベッド識別情報に関連付けて記憶されている体重情報を記憶部１２から取得する。判定部１４は、荷重値、ベッド識別情報、体重情報を情報取得部１３から取得し、体重情報に対して所定の値を加算して比較値を演算する。また、判定部１４は、荷重値と比較値とを比較して、荷重値が比較値を上回ったか否かを判定する。このケースでは、ベッドＢにかかる荷重が患者の体重であるため、荷重値が比較値を上回らないと判定部１４にて判断され、制御部１０は報知部１５を動作させない。
【００２９】
また、ベッドＢ上に患者が居ない場合にも、ベッドＢに荷重がかからないため、荷重値が比較値を上回らないと判定部１４にて判断され、制御部１０は報知部１５を動作させない。
【００３０】
また、医療従事者が患者から暴行を受けてベッドＢ上に倒れ込んだり、医療従事者が患者によってベッドＢ上に押し倒されたりした場合には、ベッドＢにかかる荷重が患者の体重と医療従事者の体重とを加算したものとなるため、荷重値が比較値を上回ると判定部１４にて判断され、制御部１０は報知部１５を動作させる。
【００３１】
以上詳しく説明したように、本実施形態によれば、ベッドＢにかかる荷重値とベッドＢを使用する患者の体重に所定の値を加算した比較値とを判定部１４にて比較し、荷重値が比較値を上回ると判定部１４にて判断した場合に、制御部１０は、報知部１５を動作させて異常事態が発生したことを報知するようにしている。
【００３２】
これにより、ベッドＢ上に患者の体重を上回る荷重がかかった場合に、ベッドＢ上に患者の荷重だけではなく医療従事者の荷重がかかっているとして、医療従事者が患者により暴行を受けてベッドＢ上に倒れ込んだり、医療従事者が患者によりベッドＢ上に押し倒されたりしているとの異常事態が発生したことが報知される。従って、医療従事者に傾斜センサーを持たせることによる負担を強いることなく、患者が医療従事者を暴行してベッドＢ上に倒れ込んだり、患者が医療従事者をベッドＢ上に押し倒したりすることを、可能な限り正確に検知することができる。そのため、誤報の発生を少なくすることができる。
【００３３】
なお、前述した実施形態では、患者の体重情報を予め記憶部１２に記憶させておく必要があったが、これに限定されない。例えば、患者がベッドＢ上で安静にしている時（例えば、夜間など）に、荷重センサー１にて検知した荷重値を患者の体重情報としても良い。
【００３４】
また、前述した実施形態では、判定部１４は荷重値が比較値を上回ったか否かを判定しているが、これに限定されない。例えば、判定部１４は荷重値が比較値以上になったか否かを判定するようにしても良いし、判定部１４は荷重値が比較値未満になっていないか否かを判定するようにしても良い。
【００３５】
また、前述した実施形態では、制御部１０から報知部１５までの構成要素をナースコール親機８に設けているが、これに限定されない。例えば、制御部１０から報知部１５までの構成要素の一部または全てをウォールユニット４や廊下灯６などに設けるようにしても良い。これにより、例えば、報知部１４をウォールユニット４や廊下灯６に設けることで、ベッドＢ上にて異常事態が発生したことをベッドＢの近傍で報知することができるため、患者に自制させる可能性が得られる。
【００３６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００３７】
【図１】本実施形態によるナースコールシステムの全体の構成例を示す図である。
【図２】本実施形態によるナースコールシステムの主要な構成を示すブロック図である。
【符号の説明】
【００３８】
１    荷重センサー
２    荷重値統合部
４    ウォールユニット
８    ナースコール親機
１０    制御部
１１    インターフェース
１２    記憶部
１３    情報取得部
１４    判定部
１５    報知部
【図１】
2009201943.tif 000003
【図２】
2009201943.tif 000004